(57)【要約】【課題】モップバケツの提供。【解決手段】モップバケツは、第１及び第２の区画を備えるモップ本体を含む。第１の区画は、床手入れツールの一部を受け入れて、床手入れツール及びモップバケツの内容物を最適に利用するようなサイズにされた水溜め領域を含む。絞りアセンブリは、モップバケツに取り付けられ、床手入れツールを洗浄し、使用済みの洗浄用補給品を未使用のものから分離するようにされる。モップバケツは、使用済み洗浄補給品を受け入れて、それをより容易に廃棄するためのインサートを含むことができる。モップバケツには、ツールフック及び床標識取り付け部がさらに含まれることができ、それによって、バケツが、その使用のためのすべてのツールを提供するようにされる。【選択図】図１
2020168485.tif 000002
【特許請求の範囲】
【請求項１】
清浄な液体と汚れた液体とを収容するためのモップバケツであって、
前記モップバケツは、互いに隣接する第１及び第２の区画を備え、
前記第１の区画は、くぼみを含む水溜め部を備え、前記くぼみは、床手入れツールヘッドを受け入れ、それによって、前記床手入れツールが、床の洗浄に用いるために、前記第１の区画から清浄な液体を受けるよう構成され、
前記第２の区画は、前記床手入れツールから汚れた液体を受け入れるように構成されている、モップバケツ。
【請求項２】
前記第２の区画に概ね隣接して位置付けられ、前記床手入れツールから汚れた液体を取り除くために用いるための絞りアセンブリをさらに備える、請求項１に記載のモップバケツ。
【請求項３】
前記絞りアセンブリは、前記汚れた液体を、前記床手入れツールから前記第２の区画の方へ導くメッシュ水はねガードを備える、請求項２に記載のモップバケツ。
【請求項４】
前記絞りアセンブリは、前記床手入れツールの少なくとも一部を圧縮するための圧縮部材をさらに備える、請求項２または３に記載のモップバケツ。
【請求項５】
前記第２の区画の内部のインサートバケツであって、前記第２の区画から着脱可能であり、内部に収容された汚水を空けることを支援する、インサートバケツをさらに備える、請求項１〜４のいずれか一項に記載のモップバケツ。
【請求項６】
前記第１または第２の区画の一部から延びるハンガであって、前記モップバケツとともに用いるための床標識の一部を受け入れるように構成された、ハンガをさらに備える、請求項１〜５のいずれか一項に記載のモップバケツ。
【請求項７】
前記モップバケツから延び、前記床手入れツールが前記第１の区画に位置付けられると、前記ツールのハンドルの一部を受け入れるように位置付けられたフックをさらに備える、請求項１〜６のいずれか一項に記載のモップバケツ。
【請求項８】
前記第１の区画は前記第１の区画内に形成されたハンドルを含む、請求項１〜７のいずれか一項に記載のモップバケツ。
【請求項９】
前記第２の区画は注ぎ口を含み、前記注ぎ口は、そこから前記汚れた液体を注ぐためのものである、請求項１〜８のいずれか一項に記載のモップバケツ。
【請求項１０】
清浄な液体と汚れた液体とを収容するためのモップバケツであって、前記モップバケツは：
前記清浄な液体を収容するための第１の区画と；
前記汚れた液体を収容するための第２の区画と；
前記第２の区画の少なくとも一部の内部に着脱可能に位置付けられたインサートバケツと；
前記汚れた液体を前記インサートバケツに向かって、かつその中に導くために、前記インサートバケツに動作可能に接続された絞りアセンブリと
を備え、
前記第１及び第２の区画は、壁によって分離されており、
前記第１の区画は、前記区画の底部にくぼんでおり、床手入れツールの一部を受け入れるように構成された水溜めを含む、モップバケツ。
【請求項１１】
前記第２の区画から離れるように延びるハンガであって、そこから床標識を吊るすためのハンガをさらに備える、請求項１０に記載のモップバケツ。
【請求項１２】
前記第１の区画に向かって少なくとも部分的に延び、前記床手入れツールのハンドル部を受け入れるように構成されたフック部材をさらに備える、請求項１０または１１に記載のモップバケツ。
【請求項１３】
前記第１の区画は、その底に、前記バケツを持ち上げることを支援するためのハンドル部を備える、請求項１０〜１２のいずれか一項に記載のモップバケツ。
【請求項１４】
前記絞りアセンブリは、前記インサートバケツ内部に少なくとも部分的にあるメッシュかごと、前記汚れた液体を前記メッシュかごに向かって導くように構成された圧縮装置とを備える、請求項１０〜１３のいずれか一項に記載のモップバケツ。
【請求項１５】
前記第１の区画の前記水溜めが、床手入れツールヘッドを受け入れ、それによって、前記床手入れツールが、床の洗浄に用いるために、前記第１の区画から清浄な液体を受けるよう構成されている、請求項１０〜１４のいずれか一項に記載のモップバケツ。
【請求項１６】
容器とともに用いるための絞りアセンブリであって、前記絞りアセンブリは：
ハウジングと；
前記ハウジングに回転可能に接続されたバーと；
前記ハウジング及び前記バーに動作可能に取り付けられた第１及び第２のパドルであって、前記バーの動きが前記パドルを動かすようになっている、第１及び第２のパドルと；
前記バーに動作可能に取り付けられたハンドルであって、前記バーの長さに沿った任意の場所に概して位置付け可能である、ハンドルと、を備え、
前記ハンドルは、前記バーを基準としてグリップ部の構成を変化させることを可能にするように回転可能であるグリップ部を備える、絞りアセンブリ。
【請求項１７】
前記ハンドルが、選択された位置で前記バーを前記ハンドルに取り付けるための取り付け点をさらに備える、請求項１６に記載の絞りアセンブリ。
【請求項１８】
前記ハンドルが、前記取り付け点から延びる略垂直部と、前記垂直部から延びる傾斜部とをさらに備え、前記グリップ部が、前記取り付け点から遠位に位置付けられる、請求項１７に記載の絞りアセンブリ。
【請求項１９】
前記ハウジングの下に少なくとも部分的に位置付けられ、液体を所望のように導くための開口を含む絞りかごをさらに備える、請求項１６または１７に記載の絞りアセンブリ。
【請求項２０】
前記容器から延びてそれと相互作用し、前記絞りアセンブリの使用中に、前記絞りアセンブリが前記容器から分離することを軽減することを支援する、１つ又は複数のアームをさらに備える、請求項１６または１７に記載の絞りアセンブリ。
【発明の詳細な説明】
【技術分野】
【０００１】
関連出願の相互参照
本出願は、２０１５年５月１日出願の米国特許出願第６２／１５５，７７２号に対する優先権を主張し、その開示は、参照によりその全体が本明細書に組み入れられる。
【０００２】
本発明は、概して床洗浄の分野に関する。より特定的に、しかし非排他的であるが、本発明は、清浄な液体及び汚れた液体のための受け器を含み、床洗浄をより効率的にするための特徴を含むモップバケツに関する。
【背景技術】
【０００３】
モップ、またはより一般的には、床手入れツールは、概して濡れている床と乾いている床との両方の洗浄での使用のために用いられる。モップは、概して洗浄剤、例えば水、液体クリーナ、洗剤、溶液、またはそれらのいくつかの組み合わせに浸漬され、そして、床中を動かして、洗浄剤を床中に広げる。例えば、モップヘッドは、液体または洗浄剤を少なくとも部分的に吸収するかさもなければ運ぶことができる材料で作られることができる。バケツまたは他の容器は、洗浄剤を収容することができる。床の一定のエリアがモップで洗浄された後、再度沈めるか、洗浄するか、絞り出すか、またはいくつかの組み合わせのために容器に戻され、プロセスが繰り返される。
【０００４】
例えば、モップバケツは、１つ又は複数の区画を有して用いられることができ、一方の区画は、洗浄剤を含み、他方は、モップがあるエリアを洗浄する多面用いられた後の使用済みまたは汚れた液体である薄汚れた液体を受け入れるために用いられる。しかしながら、モップバケツを用いることは、洗浄に関して効率的である可能性がある。これらは包括的ではなく、洗浄するために負担になり、洗浄剤のすべてまたはほとんどを用いることに関して非効率的である可能性があり、かつ面倒である可能性がある。
【０００５】
したがって、当技術分野において、全体としてその使用及び洗浄に関してより高い効率を提供することができる改善されたモップバケツに対する要望がある。
【発明の概要】
【発明が解決しようとする課題】
【０００６】
したがって、本発明の主な目的、特徴、及び／または利点は、当技術における不備を克服することである。
【０００７】
本発明の別の目的、特徴、及び／または利点は、床手入れツールとともに用いられることができ、それによって、バケツ内の洗浄剤のすべてまたはほとんどが利用されるモップバケツを提供することである。
【０００８】
本発明のさらに別の目的、特徴、及び／または利点は、床手入れ標識と接続するためのハンガを含み、標識がバケツのハンガ上に収容されることを可能にするモップバケツを提供することである。
【０００９】
本発明のまた別の目的、特徴、及び／または利点は、床手入れツールの一部を受け入れて、未使用時にツールを収容するためのフックを備えるモップバケツを提供することである。
【００１０】
本発明のさらなる目的、特徴、及び／または利点は、床手入れツールヘッドからの汚れた液体を制御する、モップバケツのための絞りアセンブリを提供することである。
【００１１】
本発明のなおさらなる目的、特徴、及び／または利点は、バケツを空けるための注ぎ口を備えるモップバケツを提供することである。
【００１２】
本発明のなおさらなる目的、特徴、及び／または利点は、清浄な液体の区画の下に位置付けられて、バケツを空けることを支援するハンドルを備えるモップバケツを提供することである。
【００１３】
本発明のこれら及び／または他の目的、特徴、及び利点は、当業者には明らかである。本発明は、これらの目的、特徴及び利点に、またはそれらによって限定されない。単一の実施形態が、あらゆる目的、特徴、または利点を提供する必要はない。
【課題を解決するための手段】
【００１４】
本発明の態様によれば、モップバケツは、床手入れツールとともに用いるために提供される。床手入れツールは、床上に液体洗浄剤を広げ、及び／または液体洗浄剤で床を磨くことによって、床のあるエリアを洗浄するために用いられる。モップバケツは、２つの区画を含み、第１の区画は、実質的に未使用の量の洗浄剤を収容する。床手入れツールは、ツールのヘッド及び／またはツールの毛が、洗浄剤内に少なくとも部分的に沈められ、その後ツールを用いて床に洗浄剤を運ぶように位置付けられる。床のエリアが洗浄された後、ツールは、モップバケツの第２の区画内部に少なくとも部分的に位置付けられ、ここで、使用済み洗浄剤は、例えば排水、圧縮、絞り等によって取り除かれる。そして、本プロセスは、エリアが洗浄されるまで繰り返され、このとき汚れた洗浄剤及びあらゆる未使用の洗浄剤は、バケツから空けられることができる。
【００１５】
バケツは、第１の区画の床のくぼみ部である、第１の区画内の水溜め領域を含むことができる。例えば、床手入れツールが、毛の上方に一定量の液体を終了するためのタンクを備えるツールヘッドを含む場合、水溜めは、タンクの開放部が、該区画の下方に位置付けられることを可能にし、それによって、さらなる洗浄剤がタンクに入ることが可能になる。
【００１６】
モップバケツの付加的な態様は、第１の区画の下側に形成されたハンドルと、第２の区画の一部として形成された注ぎ口とを含む。第１の区画は、それによって、第２の区画を介してバケツを空けることが行われるように、第２よりも短くてもよい。ハンドルは、バケツが第１の区画でより容易に引き上げられて、第２の区画の注ぎ口から外に空けられるよう制御することを可能にする。
【００１７】
第２の区画は、内部に、汚れたまたは使用済み液体を受け入れるためのインサートバケツを含むことができる。絞りアセンブリは、インサートバケツと協働して、使用済み液体をツールヘッドからバケツ内部に導くことができる。絞りアセンブリは、床手入れツールの洗浄中に第２の区画における混乱を緩和するように水はねガードを提供する遮蔽されたメッシュ部材、例えばバケツを含むことができる。
【００１８】
ハンガ、例えば永久的または着脱可能なハンガは、モップバケツの一部に取り付けられることができる。ハンガは、床手入れ標識がそれに掛けられて、それによって、床手入れ標識が一時的にモップバケツの一部になることを可能にするように構成される。したがって、標識は、モップバケツが用いられると使用可能状態にされることができる。例えばモップバケツの第１の区画から延びるフックをさらに含むことができる。フックは、床手入れツールのハンドルと相互作用して、未使用時にツールをいくぶん直立した位置に保持することができる。
【図面の簡単な説明】
【００１９】
【図１】本発明の態様によるモップバケツの斜視図である。
【図２】モップバケツの側面立面図である。
【図３】モップバケツの上面平面図である。
【図４】モップバケツの断面図である。
【図５】モップバケツの分解組立斜視図である。
【図６】モップバケツの分解組立側面図である。
【図７】本発明の態様によるモップバケツ及び床手入れツールの斜視図である。
【図８】本発明のいくつかの態様による、モップバケツとともに用いるための床手入れツールの斜視図である。
【図９】ツールヘッドとともに用いるための床手入れツールヘッドインサートまたは取り付け部の斜視図である。
【図１０】図１１の床手入れツールヘッドインサートの、構成要素が取り除かれた図である。
【図１１】図１１の床手入れツールインサートの正面図である。
【図１２】図１１の床手入れツールインサートの側面立面図である。
【図１３】図１１の床手入れツールインサートの分解組立図である。
【図１４】モップバケツ及び床手入れツールの側面立面図である。
【図１５】モップバケツ及び床手入れツールの上面平面図である。
【図１６】モップバケツ及び床手入れツールの断面斜視図である。
【図１７】モップバケツ及び床手入れツールの側面断面図である。
【図１８】本発明の付加的な態様を含むモップバケツの斜視図である。
【図１９】図１８のモップバケツの正面立面図である。
【図２０】図１８のモップバケツの背面立面図である。
【図２１】図１８のモップバケツの側面立面図である。
【図２２】図１８のモップバケツの断面図である。
【図２３】図１８のモップバケツの分解立体断面図である。
【図２４】本発明の付加的な態様によるモップバケツの斜視図である。
【図２５】図２４のモップバケツの正面立面図である。
【図２６】図２４のモップバケツの側面立面図である。
【図２７】図２４のモップバケツの背面立面図である。
【図２８】図２４のモップバケツの分解組立斜視図である。
【図２９】図２４のモップバケツの分解組立側面図である。
【図３０】本発明の態様によるモップバケツ本体及び絞りアセンブリを示す分解組立斜視図である。
【００２０】
図面を参照して、本発明のさまざまな実施形態が詳細に説明され、いくつかの図全体を通して同様の参照番号は、同様のパーツを表す。さまざまな実施形態への言及は、本発明の範囲を限定しない。本明細書で表された図は、本発明によるさまざまな実施形態に対する限定ではなく、本発明の代表的な例について提示される。
【発明を実施するための形態】
【００２１】
本発明は、概して床洗浄で用いるための床手入れツール及び他の機器の分野に向けられる。例えば、いくつかの床は、民間産業、例えばレストラン、病院等である場合がある。しかしながら、本明細書で開示された構成要素を含む本発明は、一般家庭住宅においても同様に用いられることができる。理解されるように、本発明は、非常に多くの利点を提供し、さまざまなタイプの床のより効率的な洗浄を考慮している。
【００２２】
図に示されるように、モップバケツ１０が提供される。図１〜６は、モップバケツ１０を示し、本発明のユニークな態様の多くを含む。例えば、モップバケツ１０は、第１の区画１４及び第２の区画１６に分離されたモップバケツ本体１２を含む。第１の区画１４は、当該区画を形成する直立壁１５を含む。第２の区画１６は、前記第２の区画を形成する直立壁１７を含む。第１及び第２の区画１４、１６は、概してそれらの間に位置付けられた壁１８を共有する。壁１５、１７、１８の高さは、変えることができるが、本図においては、第１の区画が第２の区画よりも短い壁を有するように示される。
【００２３】
第１の区画１４は、モップバケツ１０の清浄な側として理解され得る。例えば、洗浄剤、例えば水と、洗剤、石けん等の洗浄剤との溶液は、第１の区画１４に加えられることができる。モップまたは他の床手入れツールは、第１の区画１４内の洗浄剤の中に挿入され、その後、洗浄のために床上に洗浄剤を広げるために用いられる。そして、表面と相互作用する床手入れツールは、すすぎ洗いされて、依然として床手入れツールとともに含まれるあらゆる使用済み洗浄剤を取り除く必要がある。したがって、第２の区画１６は、使用済みかまたは汚れた洗浄溶液を受け入れて、それがモップバケツ１０から空けられることができるときまで収容するためのタンクを含む。理解されるように、床手入れツールは、モップバケツ１０の構成要素によって操作されて、床手入れツールから使用済みまたは汚れた溶液をできるだけ多く取り除くことを支援することができる。したがって、いったん床手入れツールが第１の区画１４のタンクの洗浄剤内に再度沈められると、前記洗浄液体の汚染はほとんどないかまたは少なくとも緩和される。
【００２４】
第１の区画１４の付加的な構成要素は、第１の区画１４のタンクの底部に形成された水溜め５０を含む。図４にもっとも良く示されるように、水溜め５０は、第１の区画タンク１４の下方壁または床に位置付けられ、タンクの残余の部分とは異なる形状にされている。例えば、水溜め５０は、概ね垂直の壁または区間５２と、湾曲部５４とを含む。理解されるように、第１の区画タンク１４の床に形成された水溜め５０は、床手入れツールが、第１の区画１４の台よりも低い点に沈められることを可能にし、これによって、床手入れツールのタンクが、第１の区画１４内に収容された洗浄剤のより多くで充たされることができるように、より低く位置付けられる。このことは、より多くの洗浄剤が、前記洗浄剤を無駄にすることなく第１の区画で用いられることを可能にするため、有利である。第１の区画１４の水溜め部５０は、床手入れツールが、液体洗浄剤が少量であっても、モップバケツ１０内を充たすために十分に低い状態になることを可能にする。
【００２５】
第１の区画１４のまたさらなる構成要素は、前壁グリップ１９を含む。これは、図４にもっとも良く示される。前壁グリップ１９は、モップバケツ本体１２の一部であり、ユーザが、前部の区画の前壁を掴むことを可能にし、これによって、モップバケツをより容易に空けることが可能になる。例えば、いったん床がモップバケツ１０を用いて洗浄され、第２の区画１６が一定量の使用済みまたは汚れた洗浄剤を含むと、洗浄され、及び／または後で用いられることができるように、モップバケツから洗浄剤を空ける必要がある。洗浄された第１の区画１４の汚染を防止するか、さもなければ緩和するために、第２の区画１６の後壁を介して、使用済み洗浄剤を廃棄することが望ましい場合がある。前グリップ１９は、ユーザが、モップバケツ１０を第２の区画１６の後壁に向かって傾け、それによってそこから空けることができるように、前記前グリップ１９で持ち上げることを可能にする。第２の区画を介した液体の分配を助けることにおける付加的な態様は、第２の区画の一部として形成された注ぎ口２１を含む。注ぎ口２１は、使用済み洗浄溶液が、制御された方法で分配されることを可能にし、それによって、液体がこぼれにくくなるか、さもなければ問題を引き起こさなくなるようにされる。
【００２６】
モップバケツ１０のまた他の特徴は、モップバケツ本体１２の下側に位置付けられて、モップバケツ１０の容易な動きを可能にする複数の車輪またはキャスタ２０を含む。モップバケツ１０を必要に応じて持ち上げるか、動かすか、分配させるか、さもなければ操作することを可能にするためのハンドル２２がさらに含まれる。
【００２７】
モップバケツ１０は、第１及び第２の区画１４、１６のみを備えて用いられてもよいが、本発明は、モップバケツ１０の構成要素内部に位置付けられた付加的なインサートの使用がさらに意図される。例えば、図に示されるように、インサートバケツ２４は、概して第２の区画１４の内部に位置付けられて示される。図５及び６にもっとも良く示されるように、インサートバケツ２４は、第２の区画１６の内タンクの形状と同様な形状にされ、それによって、容易に挿入され、そこから取り除かれることができるようにされる。しかしながら、インサートバケツ２５の高さは、第２の区画１６のものよりも高くされ得、それによって、さらなる使用済みまたは汚れた溶液を内部に収容することができ、こぼれることを緩和するような方法で収容することができるようにされる。インサートバケツ２４は、直立壁を含み、第２の区画１６の上面に載置するためのリップを有し得る。さらに、図５に示されるように、インサートバケツ２４は、その後壁に形成されて、インサートバケツ２４からの使用済み液体の効率的な分配を促進する注ぎ口部２５をさらに含む。このように、インサートバケツは、第２の区画内部に容易に挿入可能であり、かつ別々に空にするかまたは液体を分配するために容易に取り除かれ得、一方で依然として第２の区画１６内部に、または少なくとも部分的に内部に位置付けられ得る。
【００２８】
当該図には、第２の区画１６及び／またはインサートバケツ２４の内部に少なくとも部分的に位置付けられた絞りアセンブリ２６がさらに示される。例えば、絞りアセンブリ２６は、図中では、インサートバケツ２４内部に位置付けられるとして示されているが、しかしながら、当然ながら、インサートバケツが用いられていないとき、絞りアセンブリ２６は、第２の区画１６に対して、直接その中に、その上に、またはそれらの組み合わせで位置付けられることができる。
【００２９】
絞り区画２６は、メッシュバケツであってもよい絞りかご２８と、ハンドル３２を備える絞りパドル３０と、側壁３４と、背壁３６とを含む。絞りかご２８は、床手入れツールの使用後にそれを洗浄するための水はねガードとして用いられる、遮蔽された絞りを提供する。例えば、モップがモップバケツ１０とともに用いられる場合、モップは、メッシュバケツに抗して押しつけられてその中に位置付けられ、第１の区画１４から新しい洗浄溶液を得る前に、過剰な洗浄溶液をモップからインサートバケツ２４の収容区画の中に取り除くことを支援することができる。絞りかご２８は、床手入れツールからの溶液を、概して下向きの方向に導くようなサイズにされて方向付けられることができる穴、スロット、または他の開口を含むことができ、それによって、溶液がモップバケツの中に収容されて、バケツの外側に水はねしないようにされる。かご２８の開口は、使用済み液体を横方向に導くように方向付けられることもできる。例えば、インサートバケツ２４が用いられていないとき、第１の区画と第２の区画との間に、壁１８のすき間または開放部があってもよい。かご２８の開口は、使用済み溶液を、すき間から離れて第２の区画１６の側壁または背壁に向かって導き、使用済み溶液と清浄な溶液との相互汚染を防止するか、さもなければ緩和することができる。
【００３０】
絞りまたは可動パドル３０は、前記絞りかご２８と併用されて、床手入れツールから使用済み洗浄溶液を取り除くことをさらに支援することができる。絞り３０は、可動パドルを含み、これは、ハンドル３２によって操作されると、互いに抗して動いて床手入れツールヘッドを押圧し、このことは、床手入れツールヘッドから過剰な及び／または使用済みの洗浄溶液を除去することを支援する。そして、ハンドル３２を操作して可動パドルを開放し、モップヘッドを絞りかご２８から取り除くことを可能にすることができる。絞りアセンブリ２６の側壁３４は、あらゆる過剰な洗浄溶液が水はねするかさもなければこぼれることからの保護を提供する。
【００３１】
ツールフック３８は、図中において、絞りアセンブリ２６から概ね前方に延びて（第１の区画１４は、バケツ１０の前にある）示される。示されるように、ツールフック３８は、絞りアセンブリ２６とともに形成されるか、成型されるか、さもなければ組み込まれてもよい。示されるようなツールフックは、少なくとも部分的に、モップバケツ１０の第１の区画１４に向かって延びる。フック３８は、モップバケツ１０とともに用いるために、床手入れツールのハンドルの一部を受け取るように構成される。このように、床手入れツールが使用されていないとき、当該ツールは、モップバケツ１０内部に収容されることができ、ハンドルの一部が概ねフック３８内部に位置付けられて、それによって、ツールがモップバケツ１０から、またはそれに対して脱落しないようにされる。フック３８は、床手入れツールを少なくとも一時的に収容するための安全な方法を提供する。フック３８は、可動パドルに取り付けられることができるか、あるいは共用壁１８、絞りアセンブリ２６及び／またはモップバケツ及びその構成要素の他の壁を基準として着脱可能であることができる。ツールフック３８の着脱可能な性質によって、モップバケツ１０とともに用いるためのより大きな柔軟性が可能になる。
【００３２】
図にはさらに、絞りアセンブリ２６の背壁３６に概して位置付けられた標識ハンガ４０が示される。標識ハンガ４０は、絞りアセンブリ２６の後壁３６に一時的に添付される着脱可能部材であるとして示される。標識ハンガ４０は、絞りアセンブリ２６の背壁３６上を摺動して、背壁３６に摩擦嵌合することができるグリップまたはリップ部材４２を含む。グリップ部材４２から延びる概して上向きのフック部材の形状の受け器部４４がある。受け器部材４４は、その上に床標識４６を掛けるために用いられるように構成される。例えば、床標識４６は、その内部に、フック様の受け器４４の上に位置付けられて、用いられていないときはその上に置かれることができる開口４８を含み得る。床標識、例えば注意標識、指示標識、及び／または他の警告標識は、スリップ及び負傷の可能性がより高いことを意味する、床が濡れているかもしれない床洗浄のエリアで人々に警告するために重要である。しかしながら、床標識は、常に用いられる必要はなく、モップバケツから隔てられた場所で標識を見つける必要があるために、時間を浪費する可能性がある。したがって、本発明のモップバケツ１０に取り付けられたハンガ４０は、床の洗浄時に容易に利用可能であることができる標識の場所が既知であることを保証する、より効率的な方法を提供する。
【００３３】
モップバケツ１０を基準としたハンガ４０の着脱可能な性質は、標識ハンガのより大きな柔軟性及び使用をさらに可能にする。例えば、モップバケツが、供給エリアからさらに離れた場所で用いられることになる場合、ハンガ４０は、モップバケツ及びそれに掛けられた床標識４６にすばやくかつ容易に取り付けられて、モップバケツ１０の使用場所に運ぶための準備をすることができる。しかしながら、必要ではない場合、ハンガは、モップバケツから取り除かれることができる。さらに、ハンガ４０の着脱可能な性質によって、モップバケツを空ける間に取り除くことが可能になる。開示されているように、モップバケツは、モップバケツの後ろに、モップバケツを空けることを制御することを支援するための注ぎ口を含む。これは、ハンガ４０の同様の場所であるため、モップバケツ１０から液体を分配する前に、前記ハンガを取り除くことが望ましい場合がある。ハンガ４０のリップの摩擦嵌合グリップは、バケツを空けるために容易に取り除くことを可能にする。いったんバケツが空けられると、ハンガは、再度取り付けられるか、さもなければ既知の場所に収容されることができる。
【００３４】
図７は、床手入れツール５６とともに用いるとして示され説明されているモップバケツ１０を示す。開示されているように、床手入れツールは、従来のモップのようなモップ、または床、地面、または他の洗浄用エリア上に分配するための洗浄剤等の液体を利用する他の部材であることができる。したがって、本発明の少なくともいくつかの実施形態及び態様によれば、標準的なモップヘッドが、モップバケツ１０とともに用いられ得る。しかしながら、本発明の図８〜１３に示されるように、別のタイプの床手入れツールを、本発明のモップバケツ１０とともに用いることもできる。図に示された床手入れツール５６は、米国出願第１４／９９６，９９３号に記載され、その全体が参照により本明細書に組み入れられる。床手入れツール５６は、グリップ部６０を備えるハンドル５８を含み、グリップ部は、オーバーモールドされたグリップ部であってもよい。ハンドルは、そこに位置付けられた装着部材６６を備える第１の端６２を含む。第２の端６４がさらに含まれ、これは、ツールヘッド７２にハンドルを取り付けるための係止システム６８を含む。ツールヘッド７２は、内部区間７６を備えるツールヘッド本体７４を含む。内部区間７６及びの内部に概して位置付けられ、ツールヘッド７２に取り付けられた床手入れインサートまたは取り付け部７８が示され、これはスコップ取り付け部として示される。取り付け部７８が、図９〜１２に示される。特定の取り付け部が示されているが、当然ながら、他のタイプのインサート及び／または取り付け部が、床手入れツール５６とともに含まれることができる。しかしながら、図に示されるように、インサートまたは取り付け部７８は、デッキブラシスコップとともに用いるためのモップバケツ型インサートであるとして示される。
【００３５】
取り付け部７８は、デッキブラシ毛９２または他のモップ毛とともに用いるためのスコップ型インサートを含む。スコップ部材７８は、モップバケツ１０または他の入れ物からの水溶液等の液体を調べて、洗浄されている床または他の表面上に液体洗浄剤または製品を散布するための方法を提供する。これは、洗浄溶液が磨き洗いの前に床に適用されることを可能にし、そのように制御された方法での適用を提供する。スコップインサート７８は、床がブラシ毛９２で洗浄されているときに液体製品の適用を制御し、洗浄中に溶液が適用されるエリア量を制限するための方法を提供する。スコップインサート７８は、本発明のモップバケツ１０とともに用いられるように設計される。例えば、スコップ７８は、内部に挿入されたときに、モップバケツ１０の第１の区画１４から一定量の溶液を受けて、一定量の溶液を一時的に収容するように構成される。溶液または他の洗浄剤は、インサート７８から床面上に漏出するか、さもなければ発することができ、ここでユーザは、モップがけするか、磨くか、さもなければ溶液を適用することが可能である。
【００３６】
スコップ７８は、本体部８０及びカバー８４を含む。本体部８０は、一定量の洗浄溶液を受け入れ収容するためのタンク８２を形成する、概ね中空の部材である。カバー部８４は、本体部８０の開放部に位置合わせされて、洗浄剤を充填し放出するために設けられたタンク８２のためのカバーを提供するように構成される。例えば、図に示されるように、カバー８４は、上部主開口８６、及び複数の放出開口８８を含む。放出開口８８は、インサート７８の本体部またはカバー部のうち一方の底部を通して穴を作成することによって形成される。例えば、カバーの一部が切り取られて、それによって、本体部８０と接合されたときに、二者間の継ぎ目に穴が存在するようにされてもよい。タンク内に収容された液体は、それを通過することが可能である。
【００３７】
カバー８４の前の付加的な円は、装飾用及び／または機能性のものであってもよい。例えば、円は、カバー上の単なる刻み目であってもよい。本発明のいくつかの態様によれば、円は、それを通して床にさらなる液体を渡すことが可能である、カバーを通した開口であり得る。
【００３８】
本体及びカバー８０、８４が互いに取り付けられると、床手入れツール５６は、洗浄溶液を収容しているモップバケツ１０の第１の区画１４に挿入されることができる。このことは、図１４〜１７に示される。図１６及び１７に示されるように、インサートは、モップバケツ１０の第１の区画１４の水溜め５０内部に位置付けられることができるように位置付けられる。洗浄溶液は、インサート７８のタンク８２に入る。そして、溶液は、用いられるまで収容されることができる。モップバケツ１０から取り除かれると、溶液は漏れ始めるか、さもなければインサート７８から、開口８８を介して、ツールの底に沿って分配される。これらは、床手入れツール５６による洗浄プロセス中に、インサートから所望の量の溶液が分配されるようなサイズにされて位置付けられることができる。いったんインサート７８内の溶液が分配されると、本プロセスが繰り返されて、床手入れツール及びバケツ内部に挿入されたインサートは、さらなる量の液体を受け入れることができる。
【００３９】
さらに、従来のモップツールを用いて洗浄したとき、従来のモップヘッドで液体を用いた後、モップヘッドは、モップバケツ１０の絞りアセンブリ２６の内部に位置付けられて、モップヘッドから過剰な使用済み液体を取り除くことができる。本構成は、絞りアセンブリ２６の絞りかご２８の穴のサイズ及び向きを含め、使用済み液体を、モップバケツ１０の第２の区画１６内のインサートバケツタンクに向かって導く。
【００４０】
したがって、図１４〜１７に示されるように、モップバケツに関連した床手入れツール５６の使用が示される。図７は、収容位置での床手入れツール５６を示し、ツール５６のハンドル５８の一部が、モップバケツ１０のツールフック３８内部に位置付けられるようにされている。これは、ツール５６が使用され得ない収容位置であり、代わりに、モップバケツは移動準備構成にある。
【００４１】
図にさらに示されるのは、ツールヘッドの一部が、モップバケツ１０の第１の区画１４の水溜め部５０内にある床手入れ５６である。先に述べたように、水溜めは、インサート７８の取り付け部カバー８４の開口８６が、第１の区画１４内の下方に位置付けられることを可能にし、それによって、液体が低いかまたはより低いレベルにあるときであっても、内部に収容された液体で満たされることが可能になるようにされる。これは、モップバケツを用いたときにさらなる効率を提供し、それによって、モップバケツ内の液体が無駄にならないようにされる。
【００４２】
その結果、モップバケツ及びその使用が示されて説明され、当業者には、数多くの利点が明らかであるはずであることが示されてきた。例えば、図に示されて説明されたように、モップバケツを床手入れツールとともに用いることによって、床または他のエリアのより効率的な洗浄が可能になる。当該利点は、水溜めが、内部に収容された洗浄溶液のより多くが、床の洗浄で用いるための床手入れツールによって受けられることを可能にするような、モップバケツ１０の区画内の水溜めの使用を含む。水または溶液を概ね下向きに導くためのかごの穴を含む、遮蔽された絞りアセンブリ２６の使用は床上に不要な液体がこぼれることかまたは他の混乱を軽減する、効率の向上をさらに提供する。またさらには、マウントバケツの一部として組み込まれたツールフックの使用は、未使用時、例えばモップバケツ及びツールを運ぶ間の床手入れツールのための収容点を含む効率を提供する。フックは、床手入れツールがそれ自体で支持されることを可能にする。
【００４３】
洗浄し、分配し、及び／またはモップバケツ１０を空けることによる付加的な利点が含まれる。例えば、第２の区画１６の背部の場所に注ぎ口を含むことは、モップバケツから使用済み洗浄溶液が制御されて注がれることを提供する。第１の区画１４の下側の前壁に位置付けられたグリップは、ユーザが、使用済み液体をそこから分配するために、モップバケツを掴んで持ち上げるように定められた空間を有することを可能にする。
【００４４】
さらに、モップバケツ１０に着脱可能に取り付け可能である標識ハンガを含むことは、標識がモップバケツに直接掛けられることを可能にする。標識ハンガの着脱可能な性質は、洗浄中に、分配中に、さもなければモップバケツを空にしている間に、ハンガが取り除かれることを可能にする。
【００４５】
図１８〜２３は、本発明のさらなる付加的な態様を含むモップバケツ１００を開示する。モップバケツ１００は、先に示されて説明されたものと同様である。例えば、第１の区画１０４と第２の区画１０６とに分離されたモップバケツ本体１０２を含む。第１の区画１０４は、区画を形成する直立壁１０５を含み、例えばバケツの内容物を空にするために、バケツ１００を持ち上げることを支援するためのグリップ１０９を含むことができる。第２の区画１０６は、前記第２の区画を形成する直立壁１０７を含み、注ぎ口１１１をさらに含む。第１及び第２の区画１０４、１０６は、概してそれらの間に位置付けられた壁１０８を共有する。壁１０５、１０７、１０８の高さは、変えられることができるが、図においては、第１の区画が第２の区画よりも短い壁を有するように示される。
【００４６】
第１の区画１０４の付加的な構成要素は、第１の区画１０４のタンクの底部に形成された水溜め１４０を含む。図２２にもっとも良く示されるように、水溜め１４０は、第１の区画タンク１０４の下方の壁または床に位置付けられ、タンクの残余の部分とは異なる形状にされている。例えば、水溜め１４０は、概ね垂直の壁または区間１４２と、湾曲部１４４とを含む。水溜め１４０は、先に開示されたものと同様である。しかしながら、図中に見ることができるように、水溜めは、垂直区間１４２から湾曲部１４４までの測定において狭くなっている。また、湾曲部１４４は、先に開示されたよりもいくぶん急角度であり、水溜め１４０の底までの計測でいくぶんさらに深くなっており、このことは、ツールがより低く位置付けられることを可能にし、これによって、タンクが第１の区画１０４内の液体でより容易に満たされることが可能になる。水溜め１４０は、先に開示されたように、床手入れツール５６とともに用いられることができ、それによって、ツールが水溜めエリア内に位置付けられて、一定量の液体を、例えばツールインサートの１つ又は複数の開口を通して受け、液体が、床エリアの洗浄で用いるために、タンク内に位置付けられるようにされる。
【００４７】
しかしながら、当然ながら、深さ、幅、高さ、及び／または容量を含む水溜め５０、１４０の形状は、すべて変更されることができ、依然として本発明の一部とみなされることができる。水溜めの正確な構成は、本発明を限定するものではなく、代わりに、洗浄ツールによって液体のより多くを利用するための場所が設けられた水溜めの能力が提供される。
【００４８】
モップバケツ１００のさらに他の特徴は、モップバケツ本体１０２の下側に位置付けられて、モップバケツ１００の容易な動きを可能にする複数の車輪またはキャスタ１１０を含む。モップバケツ１００を必要に応じて持ち上げるか、動かすか、分配するか、さもなければ操作することを可能にするためのハンドル１１２がさらに含まれる。
【００４９】
先に開示されたものと同様の他の態様は、そこから材料を注ぐための注ぎ口部１１５と、絞りアセンブリ１１６と、ツールフック１２８と、標識ハンガ１３０とを含むインサートバケツ１１４を含むが、これに限定されない。先に開示されたように、ツールフック１２８及び／またはハンガ１３０は、バケツ１００と一体型であることができるか、またはそこから着脱可能であることができる。例えば、図１８〜２３に示されるように、ツールフック１２８は、絞りアセンブリ１１６の一部に、例えばナット、ボルト、ねじ、接着剤、マジックテープ、スナップ、またはアセンブリにフック１２８を着脱可能に取り付けることを可能にする他の取り付け機構によって取り付けられるワイヤ部材であってもよい。加えて、このことは、フックの向き及び他の構成が変更可能であることを可能にする。さらに、フック１２８は絞りアセンブリ１１６上に位置付けられて示されているが、当然ながら、モップバケツ１００内かまたはその上のどこにでも概して位置付けられることができる。
【００５０】
図１８〜２３に含まれた絞りアセンブリ１１６は、先に開示されたものと同様の構成要素を含む。例えば、アセンブリ１１６は、絞りかご１１８を含み、これはメッシュバケツであってもよい。かご１１８は、モップからの溶液を下向きに、及び／または他の方向に導くように位置付けられるか、形状にされるか、さもなければ構成されることができるスロットまたは他の開口を含む。例えば、インサートバケツ１１４が用いられていないとき、かご１１８と第１の区画１０４との間に開放空間がある可能性がある。したがって、スロットは、溶液をモップから側壁１２４、背壁１２６に向かって、及び／または使用済みかまたは汚れたモップ液体が第１の区画に再度入らないように下向きに導くように構成されることができる。スロットは、絞りパドル１２０と協働して、モップヘッドから使用済み液体を絞り出して、使用済み液体が第２の区画１０６の中にのみ、または実質的に導かれることを保証することができる。
【００５１】
加えて、図に見ることができるように、絞りハンドル１２２は、先の図面に示されたものとは異なる構成を含む。ハンドル１２２は、バー１４６に取り付け可能であり、バーは水平バーであってもよい。ハンドル１２２は、ハンドルがバーに沿って摺動し、バー１４６の長さに沿った任意の点に概ね位置付けられることを可能にする突起または取り付け部１４８を含む。さらに、ハンドルは、旋回点または回転点１５０を含み、ハンドルの上部が、バー１４６に取り付けられた下部を基準として回転することが可能である。ハンドル１２２は、実質的に垂直であってもよい上向き延伸部１５２と、上向き部１５２から延びてグリップ部１５６で終端する傾斜部１５４とをさらに含む。傾斜部１５４は、約３０°〜約７５°の範囲であってもよい角度内の、直立部１５２に対した角度で伸びてもよい。しかしながら、いくつかの実施形態では、角度は約４５°であることが好ましい場合がある。
【００５２】
取り付け点１４８の可動性及びハンドル１２２の回転は、ハンドル１２２が数多くの構成で構成されることを可能にする。例えば、ハンドルは、バー１４６の左右側のいずれかに摺動するかさもなければ位置付けられて、ユーザがアセンブリ１１６を動作させるためにいずれかの手を利用することが可能になるようにすることができる。また、ハンドルは、中間に位置付けられて、パドル１２０を動作させるための最大トルクを達成することができる。ハンドル１２２の変動する構成から達成可能であるグリップの場所、人間工学的効果、及びトルクの増大等のハンドルの移動、回転、及び角度を付けられた構成によって含まれる、他の利点が明らかである。
【００５３】
さらに、当然のことながら、ハンドル１２２の可動性及び着脱は、ハンドルがモジュール式の構成要素であることを可能にする。取り付け点は、例えばバー１４６の各端に、及び／またはバーの中間に固定されることができるか、または無制限であることができ、それによって、ハンドルがバー１４６の長さに沿って概ねどこにでも位置付けられることができる。
【００５４】
図２４〜３０は、本開示によるモップバケツ２００のさらに付加的な態様を示す。モップバケツ２００は、先に示されて説明されたものと同様である。例えば、第１の区画２０４と第２の区画２０６とに分離されたモップバケツ本体２０２を含む。第１の区画２０４は、区画を形成する直立壁２０５を含み、例えばバケツの内容物を空にするために、バケツ２００を持ち上げることを支援するためのグリップを含むことができる。第２の区画２０６は、前記第２の区画を形成する直立壁２０７を含み、注ぎ口２１１をさらに含む。第１及び第２の区画２０４、２０６は、概してそれらの間に位置付けられた壁２０８を共有する。壁２０５、２０７、２０８の高さは、変えることができるが、本図においては、第１の区画が第２の区画よりも短い壁を有するように示される。第１の区画２０４の付加的な構成要素は、第１の区画２０４のタンクの底部に形成された水溜めを含む。水溜めは、本明細書で示され、及び／または説明された構成のいずれかを採用することができる。
【００５５】
モップバケツ２００のまたさらなる他の特徴は、モップバケツ本体２０２の下側に位置付けられて、モップバケツ２００の容易な動きを可能にする複数の車輪またはキャスタ２１０を含む。モップバケツ２００を必要に応じて持ち上げるか、動かすか、分配させるか、さもなければ操作することを可能にするためのハンドル２１２がさらに含まれる。
【００５６】
先に開示されたものと同様の他の態様は、そこから材料を注ぐための注ぎ口部２１５と、絞りアセンブリ２１６とを含むインサートバケツ２１４を含むが、これに限定されない。ツールフック及び／または標識ハンガをさらに含むことができるが、本実施形態または本明細書に示された他のモップバケツの実施形態のいずれかにおいて必要ではない。
【００５７】
図２４〜３０に含まれた絞りアセンブリ２１６は、先に開示されたものと同様の構成要素を含む。例えば、アセンブリ２１６は、絞りかご２１８を含み、これはメッシュバケツであってもよい。かご２１８は、モップからの溶液を下向きに、及び／または他の方向に導くように位置付けられるか、形状にされるか、さもなければ構成されることができるスロットまたは他の開口を含む。例えば、インサートバケツ２１４が用いられていないとき、かご２１８と第１の区画２０４との間に開放空間がある可能性がある。したがって、スロットは、溶液をモップから側壁２２４、背壁２２６に向かって、及び／または使用済みかまたは汚れたモップ液体が第１の区画に再度入らないように下向きに導くように構成されることができる。スロットは、絞りパドル２２０と協働して、モップヘッドから使用済み液体を絞り出して、使用済み液体が第２の区画２０６の中にのみ、または実質的に導かれることを保証することができる。
【００５８】
ハンドル２２２は、これらの図における別の構成を含む。ハンドル２２２は、絞りアセンブリ２１６の第１または第２の受け部２３２、２３４に接続することができるハンドル本体２２８を含む。受け部は、右利きまたは左利きのユーザ用に位置付けられ得、したがって、バケツ２００は、操作者によって用いられて、ユーザが絞り２１６を用いることをもっと良く可能にするように構成されることができる。受け部２３２、２３４及びハンドル本体２２８は、それを通してピンまたは他の留め部材２３０を挿入して、絞り２１６を用いるためにハンドル本体２２８を適所に保持するための開口を含むことができる。ピン２３０は、概して任意のタイプの留め部材、例えばクレビスピン、だぼ、ナット及びボルト、ねじ、割りピン、ヘアピン、ヒッチピン、リンチピン、安全ピン、スナップ及びロックピン、またはハンドル本体を適所に保持するための概して任意の他のタイプの留め具、ピン、クリップ、及び／または留めリングであることができるが、これらに限定されない。開口は、ハンドル本体を受け部を基準として位置合わせして、絞りアセンブリ２１６を用いるための、ハンドル２２２人間工学的な使用を提供することを支援する。
【００５９】
絞りアセンブリ２１６の使用は、概して矢印２４８の方向である。ハンドル２２２が過度な力でこの方向２４８に回転された場合、絞りアセンブリ２１６は、バケツ本体２０２及び／またはインサートバケツ２１４のいずれかまたは両方から分離される可能性がある。したがって、示された実施形態の付加的な態様は、以下のものを含む。バケツ本体及びインサートのいずれかまたは両方は、例えばバケツ本体２０２の第２の区画２０６から延びて示されるが、フランジ２４０であることができる。フランジは、１つ又は複数の開口２４２、２４４を含むことができる。絞りアセンブリ２１６は、概して下向きに延び、１つ又は複数の開口２４２、２４４に挿入されるか、さもなければそれと連通するように構成されたアームまたは歯２４６を含むことができる。例えば、アーム２４６は、単に開口に挿入されることができるか、または摩擦嵌合、ばね係止、またはアームを適所に係止する他の部材を含むことができる。このことは、絞りアセンブリ２１６が、絞りの使用中にバケツ２００の残余の部分から分離することを緩和する。アームは、開口と相互作用して、絞りアセンブリ２１６を適所に保持する。
【００６０】
アームは、絞りアセンブリ２１６の側壁２２４または背壁２２６のいずれかから延びることができ、所望のように任意の形状を取って、アセンブリが、使用中にモップバケツの残余の部分からアセンブリが分離することを緩和することができる。加えて、開示されたように、アームは、戻り止め、ばね係止、突起、ノッチ、または開口と相互作用して、絞りアセンブリを適所に保持することをさらに支援する他の特徴を含むことができる。さらに、理解されるように、バケツ本体２０２及び／または絞りアセンブリ２１６は、構成要素をともに保持するために、所望される数だけ開口及びアームを含むことができる。
【００６１】
モップバケツ及び含まれる構成要素は、概して任意の堅固な材料で構成されてもよい。例えば、構成要素は、成型プラスチック材料または他の材料で構成されてもよい。モップバケツ本体１２は、第１及び第２の区画を含め、一体形成体でなる単一の成型材料で構成されてもよい。付加的な構成要素は、同様に成型されることができ、それらの意図された使用に従って、互いに接続されることができる。バケツ１０及びプラスチック成型部品のすべては、ポリプロピレンまたはポリエチレンで構成されることができる。また、いくつかの部品は、強化充填剤、例えばナイロン、タルク、及び／または繊維ガラス等の「ガラス」で構成されてもよい。付加的なプロセスは、構成要素を製造するための回転成型を含むことができる。
【００６２】
上述の説明は、例証及び説明を目的として提示されており、網羅的なリストであるか、または本発明を開示された厳密な形式に限定することは意図されていない。このことは、第１及び第２の区画の形状及びサイズに加えて、インサートバケツ及び／または絞りアセンブリを含む。当業者には明らかである他の代替的なプロセス、システム、及びアセンブリが、本発明の一部とみなされることが意図される。本発明は、示され説明されてきたような数多くの利点を含むことが理解されるべきである。
【図１】
2020168485.tif 000003
【図２】
2020168485.tif 000004
【図３】
2020168485.tif 000005
【図４】
2020168485.tif 000006
【図５】
2020168485.tif 000007
【図６】
2020168485.tif 000008
【図７】
2020168485.tif 000009
【図８】
2020168485.tif 000010
【図９】
2020168485.tif 000011
【図１０】
2020168485.tif 000012
【図１１】
2020168485.tif 000013
【図１２】
2020168485.tif 000014
【図１３】
2020168485.tif 000015
【図１４】
2020168485.tif 000016
【図１５】
2020168485.tif 000017
【図１６】
2020168485.tif 000018
【図１７】
2020168485.tif 000019
【図１８】
2020168485.tif 000020
【図１９】
2020168485.tif 000021
【図２０】
2020168485.tif 000022
【図２１】
2020168485.tif 000023
【図２２】
2020168485.tif 000024
【図２３】
2020168485.tif 000025
【図２４】
2020168485.tif 000026
【図２５】
2020168485.tif 000027
【図２６】
2020168485.tif 000028
【図２７】
2020168485.tif 000029
【図２８】
2020168485.tif 000030
【図２９】
2020168485.tif 000031
【図３０】
2020168485.tif 000032
【外国語明細書】
2020168485000001.pdf